(57)【要約】【課題】低コストで小型化や軽量化が容易にできる照明装置を提供する。【解決手段】照明用ＬＥＤ部３と、照明用ＬＥＤ部３が出力端子に接続されたプラグ２と、プラグ２の入力端子が差込部１３の接続端子１３aに接続され、照明用ＬＥＤ部３を駆動する駆動回路１０が内蔵されたコンセント１と備える。上記駆動回路１０は、交流電源２０からの交流電圧を直流電圧に変換するダイオードブリッジ１１と、ダイオードブリッジ１１により変換された直流電圧をオンオフするソリッドステートリレー１２と、ソリッドステートリレー１２の出力端子と差込部１３の接続端子１３aとの間に接続された抵抗Ｒ１を有する。【選択図】図１
2009181950.tif 000002
【特許請求の範囲】
【請求項１】
照明用ＬＥＤ部と、
上記照明用ＬＥＤ部が出力端子に接続されたプラグと、
上記プラグの入力端子が差込部の接続端子に接続され、上記照明用ＬＥＤ部を駆動する駆動回路が内蔵されたコンセントと
を備え、
上記駆動回路は、
交流電源からの交流電圧を直流電圧に変換する整流器と、
上記整流器により変換された直流電圧をオンオフするソリッドステートリレーと、
上記ソリッドステートリレーの出力端子と上記差込部の接続端子との間に接続された抵抗と
を有することを特徴とする照明装置。
【請求項２】
請求項１に記載の照明装置において、
上記コンセントの信号接続端子に入力されたオンオフ信号に基づいて、上記ソリッドステートリレーがオンオフすることを特徴とする照明装置。
【請求項３】
請求項１に記載の照明装置において、
上記コンセントの信号接続端子に入力されたパルス幅変調信号に基づいて、上記ソリッドステートリレーがオンオフすることを特徴とする照明装置。
【請求項４】
請求項１から３までのいずれか１つに記載の照明装置において、
上記コンセントに上記駆動回路が複数内蔵されていることを特徴とする照明装置。
【請求項５】
請求項４に記載の照明装置において、
上記プラグは複数あり、
上記複数のプラグの上記出力端子に接続された上記照明用ＬＥＤ部は夫々、発光波長の異なるＬＥＤが用いられ、
上記コンセントの上記差込部に、上記複数の駆動回路に対応する上記接続端子を夫々設けて、上記差込部の各接続端子に上記複数のプラグの入力端子を接続したことを特徴とする照明装置。
【請求項６】
請求項５に記載の照明装置において、
上記複数の照明用ＬＥＤ部は、赤色と緑色と青色の発光波長の異なる３種類のＬＥＤが用いられていることを特徴とする照明装置。
【請求項７】
照明用ＬＥＤ部と、
上記照明用ＬＥＤ部が出力端子に接続され、上記照明用ＬＥＤ部を駆動する駆動回路が内蔵されたプラグと
を備え、
上記駆動回路は、
上記プラグの入力端子が差し込まれたコンセントの差込部からの交流電圧を直流電圧に変換する整流器と、
上記整流器により変換された直流電圧をオンオフするソリッドステートリレーと、
上記ソリッドステートリレーの出力端子と上記プラグの上記出力端子との間に接続された抵抗と
を有することを特徴とする照明装置。
【請求項８】
請求項７に記載の照明装置において、
上記プラグの信号接続端子に入力されたオンオフ信号に基づいて、上記ソリッドステートリレーがオンオフすることを特徴とする照明装置。
【請求項９】
請求項７に記載の照明装置において、
上記プラグの信号接続端子に入力されたパルス幅変調信号に基づいて、上記ソリッドステートリレーがオンオフすることを特徴とする照明装置。
【請求項１０】
請求項７から９までのいずれか１つに記載の照明装置において、
上記プラグに上記駆動回路が複数内蔵されていることを特徴とする照明装置。
【請求項１１】
請求項１０に記載の照明装置において、
上記プラグに、上記複数の駆動回路に対応する上記出力端子を夫々設けて、上記各出力端子に、発光波長の異なるＬＥＤが夫々用いられた複数の上記照明用ＬＥＤ部が接続されていることを特徴とする照明装置。
【請求項１２】
請求項１１に記載の照明装置において、
上記複数の照明用ＬＥＤ部は、赤色と緑色と青色の発光波長の異なる３種類のＬＥＤが夫々用いられていることを特徴とする照明装置。
【発明の詳細な説明】
【技術分野】
【０００１】
この発明は、照明装置に関し、詳しくは照明用ＬＥＤ(Light Emitting Diode：発光ダイオード)を駆動する駆動回路を有する照明装置に関する。
【背景技術】
【０００２】
従来の第１の照明装置としては、交流電圧を整流回路により整流して、整流された直流電圧をチョッパ回路により昇圧してＬＥＤ負荷に供給するものがある(例えば、特開２００４−３２７１５２号公報(特許文献１)参照)。
【０００３】
また、従来の第２の照明装置としては、図３に示すように、交流電源２０に接続されたＡＣ(交流)コンセント４１に、照明装置をプラグ４２により接続して使用するものがある。この照明装置は、プラグ４２と、交流電圧を直流電圧に変換するＡＣ／ＤＣコンバータ４３と、複数の照明用ＬＥＤ部５６〜５８(例えば直列５灯)と、各照明用ＬＥＤ部４４a,４４b,…,４４ｍの電流(例えば３０ｍＡ)を制御する制御回路４５a,４５b,…,４５ｍ(レギュレータ)を備えている。
【０００４】
上記従来の第１,第２の照明装置は、いずれも回路構成が複雑で部品点数が多いため、コストが高くつくと共に小型化や軽量化が容易でないという問題がある。
【特許文献１】特開２００４−３２７１５２号公報
【発明の開示】
【発明が解決しようとする課題】
【０００５】
そこで、この発明の課題は、低コストで小型化や軽量化が容易にできる照明装置を提供することにある。
【課題を解決するための手段】
【０００６】
上記課題を解決するため、この発明の照明装置は、
照明用ＬＥＤ部と、
上記照明用ＬＥＤ部が出力端子に接続されたプラグと、
上記プラグの入力端子が差込部の接続端子に接続され、上記照明用ＬＥＤ部を駆動する駆動回路が内蔵されたコンセントと
を備え、
上記駆動回路は、
交流電源からの交流電圧を直流電圧に変換する整流器と、
上記整流器により変換された直流電圧をオンオフするソリッドステートリレーと、
上記ソリッドステートリレーの出力端子と上記差込部の接続端子との間に接続された抵抗と
を有することを特徴とする。
【０００７】
上記構成によれば、上記コンセントに内蔵された駆動回路の整流器により、交流電源からの交流電圧を直流電圧に変換する。そして、上記整流器により変換された直流電圧は、ソリッドステートリレーと抵抗およびコンセントの差込部の接続端子を介して出力され、上記コンセントの接続端子に差し込まれたプラグの入力端子を介して照明用ＬＥＤ部に印加される。ここで、ソリッドステートリレーをオンオフすることにより、照明用ＬＥＤ部の発光,非発光を制御する。このように、コンセントに照明用ＬＥＤ部を駆動する駆動回路を内蔵することにより、回路構成が複雑で部品点数が多いＡＣ／ＤＣコンバータなどを用いることなく、低コストで小型化や軽量化が容易にできる。
【０００８】
また、一実施形態の照明装置では、上記コンセントの信号接続端子に入力されたオンオフ信号に基づいて、上記ソリッドステートリレーがオンオフする。
【０００９】
上記実施形態によれば、上記コンセントの信号接続端子に入力されたオンオフ信号に基づいて、ソリッドステートリレーをオンオフすることによって、照明用ＬＥＤ部の発光,非発光の制御が容易にできる。
【００１０】
また、一実施形態の照明装置では、上記コンセントの信号接続端子に入力されたパルス幅変調信号に基づいて、上記ソリッドステートリレーがオンオフする。
【００１１】
上記実施形態によれば、上記コンセントの信号接続端子に入力されたパルス幅変調信号に基づいて、ソリッドステートリレーをオンオフすることによって、パルス幅変調信号のデューティ比を調整することで照明用ＬＥＤ部の調光を行うことが容易にできる。
【００１２】
また、一実施形態の照明装置では、上記コンセントに上記駆動回路が複数内蔵されている。
【００１３】
上記実施形態によれば、上記コンセントに複数の駆動回路を内蔵することによって、駆動回路毎に照明用ＬＥＤ部を制御することが可能となる。これにより、設置性に優れたイルミネーション用の照明装置が可能になる。
【００１４】
また、一実施形態の照明装置では、
上記プラグは複数あり、
上記複数のプラグの上記出力端子に接続された上記照明用ＬＥＤ部は夫々、発光波長の異なるＬＥＤが用いられ、
上記コンセントの上記差込部に、上記複数の駆動回路に対応する上記接続端子を夫々設けて、上記差込部の各接続端子に上記複数のプラグの入力端子を接続した。
【００１５】
上記実施形態によれば、上記複数のプラグに接続された照明用ＬＥＤ部毎に、発光波長の異なるＬＥＤを用いることによって、２種類以上の発光波長の異なるＬＥＤを組み合わせて所望の色彩の照明が可能となる。
【００１６】
また、一実施形態の照明装置では、上記複数の照明用ＬＥＤ部は、赤色と緑色と青色の発光波長の異なる３種類のＬＥＤが用いられている。
【００１７】
上記実施形態によれば、上記複数のプラグに接続された照明用ＬＥＤ部に、赤色と緑色と青色の発光波長の異なる３種類のＬＥＤを用いることによって、赤色と緑色と青色のＬＥＤを組み合わせて広範囲な色彩調整が可能となる。
【００１８】
また、この発明の照明装置では、
照明用ＬＥＤ部と、
上記照明用ＬＥＤ部が出力端子に接続され、上記照明用ＬＥＤ部を駆動する駆動回路が内蔵されたプラグと
を備え、
上記駆動回路は、
上記プラグの入力端子が差し込まれたコンセントの差込部からの交流電圧を直流電圧に変換する整流器と、
上記整流器により変換された直流電圧をオンオフするソリッドステートリレーと、
上記ソリッドステートリレーの出力端子と上記プラグの上記出力端子との間に接続された抵抗と
を有することを特徴とする。
【００１９】
上記構成によれば、上記プラグに内蔵された駆動回路の整流器により、コンセントの差込部からの交流電圧を直流電圧に変換する。そして、上記整流器により変換された直流電圧は、ソリッドステートリレーと抵抗を介してプラグの出力端子に出力され、プラグの出力端子を介して照明用ＬＥＤ部に印加される。ここで、ソリッドステートリレーをオンオフすることにより、照明用ＬＥＤ部の発光,非発光を制御する。このように、プラグに照明用ＬＥＤ部を駆動する駆動回路を内蔵することにより、回路構成が複雑で部品点数が多いＡＣ／ＤＣコンバータなどを用いることなく、低コストで小型化や軽量化が容易にできる。
【００２０】
また、一実施形態の照明装置では、上記プラグの信号接続端子に入力されたオンオフ信号に基づいて、上記ソリッドステートリレーがオンオフする。
【００２１】
上記実施形態によれば、上記プラグの信号接続端子に入力されたオンオフ信号に基づいて、ソリッドステートリレーをオンオフすることによって、照明用ＬＥＤ部の発光,非発光の制御が容易にできる。
【００２２】
また、一実施形態の照明装置では、上記プラグの信号接続端子に入力されたパルス幅変調信号に基づいて、上記ソリッドステートリレーがオンオフする。
【００２３】
上記実施形態によれば、上記プラグの信号接続端子に入力されたパルス幅変調信号に基づいて、ソリッドステートリレーをオンオフすることによって、照明用ＬＥＤ部の調光を行うことが容易にできる。
【００２４】
また、一実施形態の照明装置では、上記プラグに上記駆動回路が複数内蔵されている。
【００２５】
上記実施形態によれば、上記プラグに複数の駆動回路を内蔵することによって、駆動回路毎に照明用ＬＥＤ部を接続して、各照明用ＬＥＤ部を制御することが可能となる。これにより、設置性に優れたイルミネーション用の照明装置が可能になる。
【００２６】
また、一実施形態の照明装置では、上記プラグに、上記複数の駆動回路に対応する上記出力端子を夫々設けて、上記各出力端子に、発光波長の異なるＬＥＤが夫々用いられた複数の上記照明用ＬＥＤ部が接続されている。
【００２７】
上記実施形態によれば、上記複数の駆動回路に接続された照明用ＬＥＤ部毎に、発光波長の異なるＬＥＤを用いることによって、２種類以上の発光波長の異なるＬＥＤを組み合わせて所望の色彩の照明が可能となる。
【００２８】
また、一実施形態の照明装置では、上記複数の照明用ＬＥＤ部は、赤色と緑色と青色の発光波長の異なる３種類のＬＥＤが夫々用いられている。
【００２９】
上記実施形態によれば、上記複数のプラグに接続された照明用ＬＥＤ部毎に、赤色と緑色と青色の発光波長の異なる３種類のＬＥＤを用いることによって、赤色と緑色と青色のＬＥＤを組み合わせて広範囲な色彩調整が可能となる。
【発明の効果】
【００３０】
以上より明らかなように、この発明の照明装置によれば、小型化や軽量化が図れる低コストな照明装置を実現することができる。
【発明を実施するための最良の形態】
【００３１】
以下、この発明の照明装置を図示の実施の形態により詳細に説明する。
【００３２】
〔第１実施形態〕
図１はこの発明の第１実施形態の照明装置の構成図を示している。
【００３３】
この照明装置は、図１に示すように、コンセント１と、上記コンセント１の差込部１３に入力端子が差し込まれるプラグ２と、上記プラグ２の出力端子に接続された照明用ＬＥＤ部３とを備えている。上記照明用ＬＥＤ部３は、同一方向に直列に接続された複数の発光ダイオードＬＥＤ１〜ＬＥＤｎ(例えば直列２５灯)を有する。上記照明用ＬＥＤ部３の直列に接続された発光ダイオードＬＥＤ１〜ＬＥＤｎの両端を、プラグ２の出力端子に接続している。
【００３４】
上記コンセント１は、照明用ＬＥＤ部３を駆動する駆動回路１０が内蔵されている。上記コンセント１の駆動回路１０は、交流電源２０からの交流電圧を直流電圧に変換する整流器の一例としてのダイオードブリッジ１１と、上記ダイオードブリッジ１１により変換された直流電圧をオンオフするソリッドステートリレー(SSR)１２と、上記照明用ＬＥＤ部３の駆動電流を制限するための抵抗Ｒ１とを有している。
【００３５】
上記交流電源２０の一端をコンセント１の第１電源接続端子１５に接続し、交流電源２０の他端をコンセント１の第２電源接続端子１６に接続している。上記第１電源接続端子１５をダイオードブリッジ１１の一方の入力端子に接続し、第２電源接続端子１６をダイオードブリッジ１１の他方の入力端子に接続している。上記ダイオードブリッジ１１の正極側端子をソリッドステートリレー１２の入力端子に接続し、ソリッドステートリレー１２の出力端子を差込部１３の接続端子１３aの一方に接続している。また、上記ダイオードブリッジ１１の負極側端子と差込部１３の接続端子１３aの他方との間を抵抗Ｒ１を介して接続している。
【００３６】
上記コンセント１の差込部１３の信号接続端子の一例としての別の接続端子１３bには、オンオフ制御のためのオンオフ信号を外部から入力する。このオンオフ信号は、制御信号線１４を介してソリッドステートリレー１２の制御入力端子に入力される。上記オンオフ信号に基づいてソリッドステートリレー１２をオンオフして、照明用ＬＥＤ部３が点灯,非点灯する。
【００３７】
なお、上記コンセント１の差込部１３の別の接続端子１３bに、調光制御のためのパルス幅変調信号を外部から入力してもよい。このパルス幅変調信号は、ソリッドステートリレー１２の制御入力端子に入力され、そのパルス幅変調信号に基づいてソリッドステートリレー１２をオンオフして、照明用ＬＥＤ部３を調光する。
【００３８】
上記構成の照明装置によれば、コンセント１に内蔵された駆動回路１０のダイオードブリッジ１１により、交流電源２０からの交流電圧を直流電圧に変換する。そして、上記ダイオードブリッジ１１により変換された直流電圧は、ソリッドステートリレー１２と抵抗Ｒ１およびコンセント１の接続端子１３aを介して出力され、コンセント１の接続端子１３aに差し込まれたプラグ２の入力端子を介して照明用ＬＥＤ部３に印加される。ここで、ソリッドステートリレー１２をオンオフすることにより、照明用ＬＥＤ部３の発光,非発光を制御する。
【００３９】
このように、コンセント１に照明用ＬＥＤ部３を駆動する駆動回路１０を内蔵することにより、回路構成が複雑で部品点数が多いＡＣ／ＤＣコンバータなどを用いることなく、低コストで小型化や軽量化が容易にできる。
【００４０】
また、上記コンセント１の信号接続端子１３bに入力されたオンオフ信号に基づいて、ソリッドステートリレー１２をオンオフすることによって、照明用ＬＥＤ部３の発光,非発光を容易に制御することができる。
【００４１】
また、上記コンセント１の信号接続端子１３bにパルス幅変調信号を入力して、半導体ソリッドステートリレー１２をオンオフすることによって、照明用ＬＥＤ部３の調光を容易に行うことができる。
【００４２】
図１では、１つのコンセント１に１つの駆動回路１０を内蔵した場合について説明したが、１つのコンセントに複数の駆動回路を内蔵してもよい。上記コンセントに複数の駆動回路を内蔵することによって、駆動回路毎に照明用ＬＥＤ部を制御することが可能となる。これにより、設置性に優れたイルミネーション用の照明装置が可能になる。
【００４３】
また、１つの駆動回路１０を内蔵したコンセントを複数用いて、各コンセントに、波長の異なるＬＥＤ(例えば赤(R)緑(G)青(B)の三色)からなる照明用ＬＥＤ部が接続されたプラグの入力端子に接続して、コンセント毎にオンオフ信号やパルス幅変調信号により制御することによって、照明の色彩を広範囲に調整することができ、イルミネーション用途にも使用できる。
【００４４】
あるいは、１つのコンセントに複数の駆動回路を内蔵した構成において、各駆動回路に、波長の異なるＬＥＤ(例えば赤(R)緑(G)青(B)の三色)からなる照明用ＬＥＤ部が接続されたプラグの入力端子に接続して、駆動回路毎にオンオフ信号やパルス幅変調信号により制御することによって、照明の色彩を広範囲に調整することができ、イルミネーション用途にも使用できる。
【００４５】
〔第２実施形態〕
図２Ａはこの発明の第２実施形態の照明装置の構成図を示し、図２Ｂは上記照明装置のプラグ２２の構成を示している。
【００４６】
図２Ａに示すように、コンセント２１の差込部２５に入力端子３３a,３３b(図２Ｂに示す)が差し込まれるプラグ２２と、上記プラグ２２の出力端子に接続された照明用ＬＥＤ部２３とを備えている。上記照明用ＬＥＤ部２３は、同一方向に直列に接続された複数の発光ダイオードＬＥＤ１〜ＬＥＤｎ(例えば直列２５灯)を有する。上記照明用ＬＥＤ部２３の直列に接続された発光ダイオードＬＥＤ１〜ＬＥＤｎの両端を、プラグ２２の第１,第２出力端子３４a,３４b(図２Ｂに示す)に接続している。上記プラグ２２に制御信号線２４を介してオンオフ信号が入力される。
【００４７】
また、図２Ｂに示すように、プラグ２２に照明用ＬＥＤ部３を駆動する駆動回路３０が内蔵されている。上記プラグ２２の駆動回路３０は、交流電圧を直流電圧に変換する整流器の一例としてのダイオードブリッジ３１と、上記ダイオードブリッジ３１により変換された直流電圧をオンオフするソリッドステートリレー(SSR)３２と、上記照明用ＬＥＤ部２３の駆動電流を制限するための抵抗Ｒとを有している。
【００４８】
図２Ａに示すように、上記交流電源２０の一端をコンセント２１の第１電源接続端子(図示せず)に接続し、交流電源２０の他端をコンセント２１の第２電源接続端子(図示せず)に接続している。
【００４９】
また、図２Ｂに示すように、プラグ２２の第１入力端子３３aをダイオードブリッジ３１の一方の入力端子に接続し、第２入力端子１６をダイオードブリッジ３１の他方の入力端子に接続している。上記ダイオードブリッジ３１の正極側端子をソリッドステートリレー３２の入力端子に接続し、ソリッドステートリレー１２の出力端子を第１出力端子３４aの一方に接続している。また、上記ダイオードブリッジ３１の負極側端子と第２出力端子３４bとの間を抵抗Ｒ２を介して接続している。
【００５０】
上記プラグ２２のソリッドステートリレー３２の制御入力端子に、オンオフ制御のためのオンオフ信号を外部から入力する。このオンオフ信号に基づいてソリッドステートリレー３２をオンオフして、照明用ＬＥＤ部２３が点灯,非点灯する。
【００５１】
なお、上記プラグ２２のソリッドステートリレー３２の制御入力端子に、調光制御のためのパルス幅変調信号を外部から入力してもよい。このパルス幅変調信号に基づいてソリッドステートリレー３２をオンオフして、照明用ＬＥＤ部２３を調光する。
【００５２】
上記構成の照明装置によれば、プラグ２２に内蔵された駆動回路３０のダイオードブリッジ３１により、コンセント２１の差込部２５からの交流電圧を直流電圧に変換する。そして、上記ダイオードブリッジ３１により変換された直流電圧は、ソリッドステートリレー３２と抵抗Ｒ２を介してプラグ２２の第１,第２出力端子３４a,３４bに出力され、プラグ２２の第１,第２出力端子３４a,３４bを介して照明用ＬＥＤ部２３に印加される。ここで、ソリッドステートリレー３２をオンオフすることにより、照明用ＬＥＤ部２３の発光,非発光を制御する。
【００５３】
このように、プラグ２２に照明用ＬＥＤ部２３を駆動する駆動回路３０を内蔵することにより、回路構成が複雑で部品点数が多いＡＣ／ＤＣコンバータなどを用いることなく、低コストで小型化や軽量化が容易にできる。
【００５４】
また、上記プラグ２２の信号接続端子３５に入力されたオンオフ信号に基づいて、ソリッドステートリレー３２をオンオフすることによって、照明用ＬＥＤ部２３の発光,非発光の容易に制御することができる。
【００５５】
また、上記プラグ２２の信号接続端子３５に入力されたパルス幅変調信号に基づいて、ソリッドステートリレー３２をオンオフすることによって、照明用ＬＥＤ部２３の調光を容易に行うことができる。
【００５６】
上記第２実施形態では、１つのプラグ２２に１つの駆動回路３０を内蔵した場合について説明したが、第１実施形態と同様に、１つのプラグに複数の駆動回路を内蔵してもよい。上記プラグ２２に複数の駆動回路を内蔵することによって、駆動回路毎に照明用ＬＥＤ部を接続して、各照明用ＬＥＤ部を制御することが可能となる。これにより、設置性に優れたイルミネーション用の照明装置が可能になる。
【００５７】
また、１つの駆動回路を内蔵したプラグを複数用いて、コンセントに、波長の異なるＬＥＤ(例えば赤(R)緑(G)青(B)の三色)からなる照明用ＬＥＤ部が接続されたプラグの入力端子に接続して、プラグ毎にオンオフ信号やパルス幅変調信号により制御することによって、照明の色彩を広範囲に調整することができ、イルミネーション用途にも使用できる。
【００５８】
あるいは、１つのプラグに複数の駆動回路を内蔵した構成において、各駆動回路に、波長の異なるＬＥＤ(例えば赤(R)緑(G)青(B)の三色)からなる照明用ＬＥＤ部を接続して、駆動回路毎にオンオフ信号やパルス幅変調信号により制御することによって、照明の色彩を変えることができ、イルミネーション用途にも使用できる。
【００５９】
上記第１,第２実施形態では、整流器としてダイオードブリッジ１１,３１を用いたが、整流器はこれに限らず、半波整流回路などを用いた他の構成の整流器を用いてもよい。
【００６０】
この発明の具体的な実施の形態について説明したが、この発明は上記第１,第２実施形態に限定されるものではなく、この発明の範囲内で種々変更して実施することができる。
【図面の簡単な説明】
【００６１】
【図１】図１はこの発明の第１実施形態の照明装置の構成図である。
【図２Ａ】図２Ａはこの発明の第２実施形態の照明装置の構成図である。
【図２Ｂ】図２Ｂは上記照明装置のプラグの構成図である。
【図３】図３は従来の照明装置の構成図である。
【符号の説明】
【００６２】
１,２１…コンセント
２,２２…プラグ
３,２３…照明用ＬＥＤ部
１１,３１…ダイオードブリッジ
１２,３２…ソリッドステートリレー
１３,２５…差込部
１３a,１３b…接続端子
１４,２４…制御信号線
１５…第１電源接続端子
１６…第２電源接続端子
ＬＥＤ１〜ＬＥＤｎ…発光ダイオード
３３a…第１入力端子
３３b…第２入力端子
３４a…第１出力端子
３４b…第２出力端子
【図１】
2009181950.tif 000003
【図２Ａ】
2009181950.tif 000004
【図２Ｂ】
2009181950.tif 000005
【図３】
2009181950.tif 000006